(57)【要約】【課題】地上波放送でコンテンツを受信中に地上波放送およびインターネット放送で放送される他のコンテンツを受信する場合、インターネット放送のチャンネルを利用者が知らなくても２つのコンテンツを同時に受信することが可能なコンテンツ受信装置を実現。【解決手段】本発明のコンテンツ受信装置１００は、地上波放送で第１のチャンネルで送信されるコンテンツを受信中に、地上波放送で第２のチャンネルで送信されるコンテンツを受信する旨の指示を受け付けた場合に、インターネット放送で当該コンテンツを送信するチャンネルが存在するか否かを判定する受信部変更可否確認部１２０と、インターネット放送で当該コンテンツを送信するチャンネルが存在すると受信部変更可否確認部１２０が判定した場合に、インターネット放送で当該チャンネルを通じて当該コンテンツを受信する放送受信部１５０と、を備えている。【選択図】図１
2010177888.tif 000002
【特許請求の範囲】
【請求項１】
第１の方式で送信されたコンテンツを受信する第１の受信部と、第２の方式で送信されたコンテンツを受信する第２の受信部と、を備えたコンテンツ受信装置において、
上記第１の方式で第１のチャンネルで送信される第１のコンテンツを受信中に、上記第１の方式で第２のチャンネルで送信される第２のコンテンツを受信する旨の指示を受け付けた場合に、上記第２の方式で上記第２のコンテンツを送信するチャンネルが存在するか否かを判定する第１の判定手段と、
上記第２の方式で上記第２のコンテンツを送信するチャンネルが存在すると上記第１の判定手段が判定した場合に、上記第２の方式で当該チャンネルを通じて上記第２のコンテンツを受信する受信手段と、を備えていることを特徴とするコンテンツ受信装置。
【請求項２】
上記第１の判定手段は、同一のコンテンツについて上記第１の方式で放送されているチャンネルおよび上記第２の方式で放送されているチャンネルが関連付けて記録されたチャンネル対応テーブルに基づいて、上記第２のチャンネルが上記第１の方式で放送されているチャンネルとして上記チャンネル対応テーブルに含まれている場合に限り、上記第２の方式で上記第２のコンテンツを送信するチャンネルが存在すると判定することを特徴とする請求項１に記載のコンテンツ受信装置。
【請求項３】
上記チャンネル対応テーブルが記録された記憶部を備えていることを特徴とする請求項２に記載のコンテンツ受信装置。
【請求項４】
上記第１の判定手段は、上記指示を受け付けると、上記第２のコンテンツの番組名および番組開始時刻が含まれているイベント情報テーブルを送信する上記第２の方式のチャンネルが存在するか否かを判定し、当該チャンネルが存在する場合に限り、上記第２の方式で上記第２のコンテンツを送信するチャンネルが存在すると判定することを特徴とする請求項１に記載のコンテンツ受信装置。
【請求項５】
上記第１の判定手段による、上記第２の方式で上記第２のコンテンツを送信するチャンネルが存在するか否かの判定結果を出力装置に出力する出力制御手段をさらに備えていることを特徴とする請求項１から４のいずれか１項に記載のコンテンツ受信装置。
【請求項６】
上記受信手段が受信したコンテンツを記憶部に記録する記録手段をさらに備えていることを特徴とする請求項１から５のいずれか１項に記載のコンテンツ受信装置。
【請求項７】
録画予約機能を備えていることを特徴とする請求項６に記載のコンテンツ受信装置。
【請求項８】
上記第１の判定手段が上記第２の方式で上記第２のコンテンツを送信するチャンネルが存在すると判定した場合に、上記受信手段が上記第２の方式で上記第２のコンテンツを受信するか否かを判定する第２の判定手段をさらに備え、
上記受信手段は、上記第２の判定手段が上記第２の方式で上記第２のコンテンツを受信すべきであると判定した場合に限り、上記第２の方式で上記第２のコンテンツを受信することを特徴とする請求項１から６のいずれか１項に記載のコンテンツ受信装置。
【請求項９】
上記第２の判定手段は、利用者が上記第１の方式および上記第２の方式のうちのいずれの方式で上記第２のコンテンツの受信を希望するかを示す嗜好情報に基づいて、上記第２の方式で上記第２のコンテンツを受信するか否かを判定することを特徴とする請求項８に記載のコンテンツ受信装置。
【請求項１０】
上記嗜好情報が記録された記憶部を備えていることを特徴とする請求項９に記載のコンテンツ受信装置。
【請求項１１】
上記第２の判定手段は、利用者により次に選択されると予測されるチャンネルの受信部が上記第１の受信部および上記第２の受信部のいずれであるかを示す予測情報に基づき、上記予測情報が上記第１の受信部を示す場合に限り、上記第２の方式で上記第２のコンテンツを受信すると判定することを特徴とする請求項８に記載のコンテンツ受信装置。
【請求項１２】
上記予測情報を生成する予測情報生成手段をさらに備えていることを特徴とする請求項１１に記載のコンテンツ受信装置。
【請求項１３】
上記第２の判定手段が、上記第２の方式で上記第２のコンテンツを受信すると判定した場合に、
上記出力制御手段は、さらに、上記第２の判定手段による、上記第２の方式で上記第２のコンテンツを受信するか否かを示す判定結果を上記出力装置に出力することを特徴とする請求項７から１２のいずれか１項に記載のコンテンツ受信装置。
【請求項１４】
上記第２の判定手段が、上記第２の方式で上記第２のコンテンツを受信すると判定した場合に、利用者から上記第２の方式による上記第２のコンテンツの受信を許可するか否かを示す指示を受け付ける指示受付手段をさらに備え、
上記受信手段は、上記指示受付手段が許可する指示を受け付けた場合に限り、上記第２の方式で上記第２のコンテンツを受信することを特徴とする請求項６から１３のいずれか１項に記載のコンテンツ受信装置。
【請求項１５】
録画予約機能を備えていることを特徴とする請求項１４に記載のコンテンツ受信装置。
【請求項１６】
上記第２の判定手段は、録画予約情報に基づいて、上記第２の方式で上記第２のコンテンツを受信するか否かを判定することを特徴とする請求項１５に記載のコンテンツ受信装置。
【請求項１７】
上記出力制御手段は、さらに、上記受信手段がコンテンツを受信する方式およびチャンネルを上記出力装置に出力することを特徴とする請求項４から１６のいずれか１項に記載のコンテンツ受信装置。
【請求項１８】
第１の方式で送信されたコンテンツを受信する第１の受信部と、第２の方式で送信されたコンテンツを受信する第２の受信部と、を備えたコンテンツ受信装置におけるコンテンツの受信方法において、
上記第１の方式で第１のチャンネルで送信される第１のコンテンツを受信中に、上記第１の方式で第２のチャンネルで送信される第２のコンテンツを受信する旨の指示を受け付けた場合に、上記第２の方式で上記第２のコンテンツを送信するチャンネルが存在するか否かを判定する判定工程と、
上記第２の方式で上記第２のコンテンツを送信するチャンネルが存在すると上記判定工程において判定された場合に、上記第２の方式で当該チャンネルを通じて上記第２のコンテンツを受信する受信工程と、を含んでいることを特徴とするコンテンツ受信方法。
【請求項１９】
請求項１から１７のいずれか１項に記載のコンテンツ受信装置を動作させるプログラムであって、コンピュータを上記の各手段として機能させるためのコンテンツ受信プログラム。
【請求項２０】
請求項１９に記載のコンテンツ受信プログラムを記録しているコンピュータ読み取り可能な記録媒体。
【発明の詳細な説明】
【技術分野】
【０００１】
本発明は、主に、放送波を通じて送信されるコンテンツデータとインターネットやイントラネットの回線を通じて送信されるコンテンツデータとの両方を受信するコンテンツ受信装置およびコンテンツ受信方法に関する。
【背景技術】
【０００２】
近年、ブロードバンドのインターネット回線やイントラネット回線を利用して映像や音声などのコンテンツを配信するサービスが増えている。このようなサービスによって提供されるコンテンツを受信する装置はＩＰ−ＳＴＢ（ＩＰセットトップボックス）、ＩＰＴＶなどと呼ばれている。ＩＰ−ＳＴＢやＩＰＴＶは、ブロードバンド回線を通じて提供されるコンテンツを受信するためのＩＰチューナを備えているが、ＩＰチューナに加え、地上波デジタル放送を通じて送信されるコンテンツを受信するための地上波チューナを備えたものなど、さまざまな特徴をもった装置が発売されている（非特許文献１、非特許文献２参照）。
【０００３】
ここで、地上波チューナとＩＰチューナとの両方を備えたＩＰテレビ、ＩＰセットトップボックスなどの従来のコンテンツ受信装置について、図１０を用いて具体的に説明する。図１０は、ＩＰチューナを介して２つのコンテンツを同時に受信するのにネットワークの帯域幅が十分でない場合における従来のコンテンツ受信装置の地上波チューナ及びＩＰチューナの状態遷移図である。
【０００４】
各状態において、一列目は放送受信部の種別を示している。二列目は、この状態において利用者が制御可能な放送受信部を示している。ここで、制御可能な放送受信部とは、利用者が受信するチャンネルを切り替えることが可能な放送受信部のことである。また、各状態において、利用者が制御可能な放送受信部は、地上波チューナ、及びＩＰチューナのいずれか一方であり、両方を制御することはできない。三列目は、各放送受信部で受信している放送チャンネルを示している。地上波チューナで同時に受信できるチャンネルは１つに限られている。ＩＰチューナで受信できる放送チャンネルの数はコンテンツ受信装置が利用可能なネットワークの帯域幅に依存するが、図１０は、２つのコンテンツを受信するのにネットワークの帯域幅が十分でない場合における当該コンテンツ受信装置の地上波チューナ及びＩＰチューナの状態遷移図を示しているため、ＩＰチューナを介して受信できる放送チャンネルも１つに限られている。
【０００５】
状態１ａにおいて、利用者は地上波チューナを制御することが可能であり、地上波チューナおよびＩＰチューナはともに放送チャンネルを受信していない。この状態において利用者はＩＰチューナに制御を切り替えるか、または地上波チューナに地上波放送チャンネルＴnを受信させることができる。
【０００６】
まず、状態１ａにおいてコンテンツ受信装置が地上波放送チャンネルＴnを受信すべき旨の指示を利用者から受け付けた場合の状態遷移について説明する。この場合、放送受信部の状態は、状態１ｄに遷移する。
【０００７】
状態１ｄにおいて利用者は制御をＩＰチューナに切り替えるか、または、地上波放送チャンネルＴnの受信を停止させることができる。コンテンツ受信装置が地上波放送チャンネルＴnの受信を停止すべき旨の指示を利用者から受け付けると、放送受信部の状態は状態１ａに戻る。また、利用者が制御をＩＰチューナに切り替えた場合、放送受信部の状態は、状態１ｆに遷移する。なお、地上波チューナで受信できる放送チャンネルは１つに限られているため、地上波チューナは、Ｔnを受信しながら、Ｔnとは別の地上波放送チャンネルを同時に受信することはできない。
【０００８】
状態１ｆにおいて利用者はＩＰチューナにインターネット放送チャンネルＩnを受信させるか、または、地上波チューナに制御を切り替えることができる。コンテンツ受信装置が地上波チューナに制御を切り替えるべき旨の指示を利用者から受け付けると、放送受信部の状態は状態１ｄに戻る。また、コンテンツ受信装置がインターネット放送チャンネルＩnを受信すべき旨の指示を利用者から受け付けた場合、放送受信部の状態は、状態１ｇに遷移する。
【０００９】
状態１ｇにおいて利用者は制御を地上波チューナに切り替えるか、またはインターネット放送チャンネルＩnの受信を停止することができる。コンテンツ受信装置が地上波チューナに制御を切り替える旨の指示を利用者から受け付けると、放送受信部の状態は、状態１ｈに遷移する。一方、コンテンツ受信装置がインターネット放送チャンネルＩnの受信を停止すべき旨の指示を利用者から受け付けると、放送受信部の状態は状態１ｆに戻る。なお、図１０は、２つのコンテンツを受信するのにネットワークの帯域幅が十分でない場合における当該コンテンツ受信装置の地上波チューナ及びＩＰチューナの状態遷移図を示しているため、状態１ｇにおいて、ＩＰチューナはＩnを受信しながら、Ｉnとは別のインターネット放送チャンネルを同時に受信することはできない。
【００１０】
次に、状態１ａにおいて、利用者がＩＰチューナに制御を切り替えた場合の状態遷移について説明する。コンテンツ受信装置がＩＰチューナに制御を切り替える旨の指示を利用者から受け付けると、放送受信部の状態は、状態１ｂに遷移する。
【００１１】
状態１ｂにおいて、利用者はＩＰチューナにインターネット放送チャンネルＩnを受信させるか、または制御を地上波チューナに切り替えることができる。コンテンツ受信装置が地上波チューナに制御を切り替えるべき旨の指示を利用者から受け付けると、放送受信部の状態は状態１ａに戻る。一方、コンテンツ受信装置がインターネット放送チャンネルＩnを受信すべき旨の指示を利用者から受け付けると、放送受信部の状態は状態１ｃに遷移する。
【００１２】
状態１ｃにおいて、利用者は地上波チューナに制御を切り替えるか、またはインターネット放送チャンネルＩnの受信を停止することができる。コンテンツ受信装置がインターネット放送チャンネルＩnの受信を停止すべき旨の指示を利用者から受け付けると、放送受信部の状態は状態１ｂに戻る。一方、コンテンツ受信装置が制御を地上波チューナに切り替える旨の指示を利用者から受け付けた場合、放送受信部の状態は、状態１ｅに遷移する。
【００１３】
状態１ｅにおいて、利用者は地上波チューナに地上波放送チャンネルＴnを受信させるか、または制御をＩＰチューナに切り替えることができる。コンテンツ受信装置がＩＰチューナに制御を切り替える旨の指示を利用者から受け付けると、放送受信部の状態は、状態１ｃに戻る。一方、コンテンツ受信装置が地上波放送チャンネルＴnを受信すべき旨の指示を利用者から受け付けると、放送受信部の状態は状態１ｈに遷移する。
【００１４】
状態１ｈにおいて、利用者は制御をＩＰチューナに切り替えるか、または地上波チューナに地上波放送チャンネルＴnの受信を停止させることができる。コンテンツ受信装置が地上波放送チャンネルＴnの受信を停止すべき旨の指示を利用者から受け付けると、放送受信部の状態は状態１ｅに戻る。なお、状態１ｈにおいて、地上波チューナはＴnを受信しながら、Ｔnとは別の地上波放送チャンネルを受信することはできない。一方、コンテンツ受信装置がＩＰチューナに制御を切り替える旨の指示を利用者から受け付けると、放送受信部の状態は、状態１ｇに遷移する。
【００１５】
このように、従来技術に係るコンテンツ受信装置は、地上波放送チャンネルを受信することも、インターネット放送チャンネルを受信することが可能であるが、上述のように、地上波チューナで受信できるチャンネルは１つに限られているため、複数の地上波放送チャンネルを同時に受信することはできない。また、ネットワークの帯域幅が２つのコンテンツを受信するのに十分でない場合には、コンテンツ受信装置は、複数のインターネット放送チャンネルを同時に受信することはできない。従って、利用者は、地上波放送チャンネルＴnを視聴しながらＴnとは異なる地上波放送チャンネルの手動録画または予約録画をしたり、インターネット放送チャンネルＩnを視聴しながらＩnとは異なるインターネット放送チャンネルの手動録画または予約録画をしたりすることができない。
【００１６】
このような問題を解決する方法として、地上波放送チャンネルを２つ同時に受信するため、コンテンツ受信装置に地上波チューナを２つ備えることが考えられる。しかし、この場合、地上波チューナを２つ備えるので、コンテンツ受信装置のコストが上がるという問題がある。また、インターネット放送チャンネルを２チャンネル同時に受信可能な程度にネットワークの帯域幅を広げ、ＩＰチューナに複数のインターネット放送チャンネルを受信させることが考えられる。しかし、この場合、ネットワークへの負荷が大きくなるだけでなく、利用者はサービス提供者から帯域幅の増加に伴う料金を請求される場合もある。
【００１７】
一方、地上デジタル放送ＩＰ再送信として送信されるコンテンツのように、インターネット放送で放送されるコンテンツが地上デジタル放送で放送されるコンテンツと同一の番組内容を示すものがある。インターネット放送または地上デジタル放送で受信しようとする２つのコンテンツのうち少なくとも１つが地上波放送チャンネルおよびインターネット放送チャンネルの両方を通じて放送されるコンテンツである場合、地上波チューナを１つしか備えず、接続されるネットワークにＩＰチューナが２つのコンテンツを同時に受信可能な帯域幅がないコンテンツ受信装置であっても、２つのコンテンツを同時に受信することが可能である。図１１を用いてこのことを具体的に説明する。
【００１８】
図１１は、地上波放送のチャンネルＴnおよびＴmでそれぞれ放送されているコンテンツを同時に受信するための各指示を利用者から受け付けたときのコンテンツ受信装置の状態遷移を示す図である。ここで、地上波放送チャンネルＴmで放送されているコンテンツは、インターネット放送チャンネルＩmで放送されているコンテンツと同一の番組内容を示すものである。
【００１９】
地上波チューナに制御があり、地上波放送チャンネルＴnを受信している状態（状態２ｄ）で、利用者が地上波放送チャンネルＴmを視聴または録画したいと考えた場合、利用者はＩＰチューナに制御を切り替える。これにより、コンテンツ受信装置の状態は、状態２ｆに遷移する。そして、利用者は地上波放送チャンネルＴmと同じ番組内容が送出されているインターネット放送チャンネルＩmをＩＰチューナに受信させる。これにより、コンテンツ受信装置の状態は、状態２ｇに遷移する。従って、コンテンツ受信装置は地上波放送のチャンネルＴnおよびＴmでそれぞれ放送されているコンテンツを同時に受信することが可能である。
【先行技術文献】
【非特許文献】
【００２０】
【非特許文献１】液晶テレビＡＱＵＯＳ ＬＣ−５２ＸＳ１ 取扱説明書ダウンロードサイト [online]、[平成２１年１月５日検索]、インターネット<URL:http://www.sharp.co.jp/support/aquos/doc/lc65_52xs_mn.pdf>
【非特許文献２】液晶テレビＲＥＧＺＡ ４２ＺＶ５００ 取扱説明書ダウンロードサイト [online]、[平成２１年１月５日検索]、インターネット<URL:http://www.toshiba-living.jp/fw.php?no=73209&fw1&pid=11577>
【発明の概要】
【発明が解決しようとする課題】
【００２１】
しかしながら、地上波放送またはインターネット放送の２つのチャンネルで放送されているそれぞれのコンテンツを上記従来のコンテンツ受信装置に同時に受信させるためには、同一の番組内容を示すコンテンツが放送されている地上波放送チャンネルとインターネット放送チャンネルとを利用者があらかじめ知っている必要がある。
【００２２】
また、利用者は、ＩＰチューナから地上波チューナに、または地上波チューナからＩＰチューナに制御を切り替える必要があり、２つのコンテンツを同時に受信させるのには手間がかかる。そのため、例えば、利用者が、地上波放送チャンネルの視聴中に地上波放送チャンネルの手動録画、予約録画などを行うことは容易ではない。
【００２３】
本発明は、上記のような課題を解決するためになされたものであり、その目的は、インターネット放送または地上デジタル放送の２つのチャンネルで受信しようとする各コンテンツのうち少なくとも１つが地上波放送チャンネルおよびインターネット放送チャンネルの両チャンネルで放送されるコンテンツである場合、当該地上波放送チャンネルと当該インターネット放送チャンネルとを利用者があらかじめ知らなくても、２つのコンテンツを同時に受信することが可能なコンテンツ受信装置を実現することにある。
【課題を解決するための手段】
【００２４】
本発明のコンテンツ受信装置は、上記課題を解決するために、第１の方式で送信されたコンテンツを受信する第１の受信部と、第２の方式で送信されたコンテンツを受信する第２の受信部と、を備えたコンテンツ受信装置において、上記第１の方式で第１のチャンネルで送信される第１のコンテンツを受信中に、上記第１の方式で第２のチャンネルで送信される第２のコンテンツを受信する旨の指示を受け付けた場合に、上記第２の方式で上記第２のコンテンツを送信するチャンネルが存在するか否かを判定する第１の判定手段と、上記第２の方式で上記第２のコンテンツを送信するチャンネルが存在すると上記第１の判定手段が判定した場合に、上記第２の方式で当該チャンネルを通じて上記第２のコンテンツを受信する受信手段と、を備えていることを特徴としている。
【００２５】
上記の構成によれば、コンテンツ受信装置は、第１のコンテンツを受信中に、第１の方式で第２のチャンネルで送信される第２のコンテンツを受信する旨の指示を受け付けた場合に、第２の方式で第２のコンテンツを送信するチャンネルが存在するか否かを判定し、存在すると判定した場合に、第２の方式で当該チャンネルを通じて第２のコンテンツを受信する。従って、コンテンツ受信装置は、第１のコンテンツを受信中に、第２の方式のチャンネルを通じて第２のコンテンツを受信する旨の指示を利用者から受け付けなくても、第２のコンテンツを第２の方式のチャンネルで受信することができる。
【００２６】
これにより、インターネット放送または地上デジタル放送の２つのチャンネルで受信しようとする各コンテンツのうち少なくとも１つが地上波放送チャンネルおよびインターネット放送チャンネルの両チャンネルで放送されるコンテンツである場合、当該地上波放送チャンネルと当該インターネット放送チャンネルとを利用者があらかじめ知らなくても、２つのコンテンツを同時に受信することができるという効果を奏する。
【００２７】
なお、コンテンツ受信装置は、上記第１の判定手段が、同一のコンテンツについて上記第１の方式で放送されているチャンネルおよび上記第２の方式で放送されているチャンネルが関連付けて記録されたチャンネル対応テーブルに基づいて、上記第２のチャンネルが上記第１の方式で放送されているチャンネルとして上記チャンネル対応テーブルに含まれている場合に限り、上記第２の方式で上記第２のコンテンツを送信するチャンネルが存在すると判定することが望ましい。
【００２８】
また、コンテンツ受信装置は、チャンネル対応テーブルが記録された記憶部を備えていてもよい。
【００２９】
また、コンテンツ受信装置において、上記第１の判定手段は、上記指示を受け付けると、上記第２のコンテンツの番組名および番組開始時刻が含まれているイベント情報テーブル（ＥＩＴ）を送信する上記第２の方式のチャンネルが存在するか否かを判定し、当該チャンネルが存在する場合に限り、上記第２の方式で上記第２のコンテンツを送信するチャンネルが存在すると判定してもよい。
【００３０】
また、コンテンツ受信装置は、上記第１の判定手段による、上記第２の方式で上記第２のコンテンツを送信するチャンネルが存在するか否かの判定結果を出力装置に出力する出力制御手段をさらに備えていることが望ましい。
【００３１】
本発明のコンテンツ受信方法は、上記課題を解決するために、第１の方式で送信されたコンテンツを受信する第１の受信部と、第２の方式で送信されたコンテンツを受信する第２の受信部と、を備えたコンテンツ受信装置におけるコンテンツの受信方法において、上記第１の方式で第１のチャンネルで送信される第１のコンテンツを受信中に、上記第１の方式で第２のチャンネルで送信される第２のコンテンツを受信する旨の指示を受け付けた場合に、上記第２の方式で上記第２のコンテンツを送信するチャンネルが存在するか否かを判定する判定工程と、上記第２の方式で上記第２のコンテンツを送信するチャンネルが存在すると上記判定工程において判定された場合に、上記第２の方式で当該チャンネルを通じて上記第２のコンテンツを受信する受信工程と、を含んでいることを特徴としている。
【００３２】
上記の構成によれば、本発明のコンテンツ受信方法は、本発明のコンテンツ受信装置と同様の作用効果を奏する。
【００３３】
コンテンツ受信装置は、上記受信手段が受信したコンテンツを記憶部に記録する記録手段をさらに備えていることが望ましい。
【００３４】
上記の構成によれば、コンテンツ受信装置は、地上波放送を受信中に、地上波放送の他のチャンネルで配信されるコンテンツであって、インターネット放送でも配信されるコンテンツを録画する場合、当該コンテンツが配信されるインターネット放送のチャンネルを利用者が知らなくても、コンテンツを録画することができるというさらなる効果を奏する。
【００３５】
なお、コンテンツ受信装置は、録画予約機能を備えていてもよい。
【００３６】
コンテンツ受信装置は、上記第１の判定手段が上記第２の方式で上記第２のコンテンツを送信するチャンネルが存在すると判定した場合に、上記受信手段が上記第２の方式で上記第２のコンテンツを受信するか否かを判定する第２の判定手段をさらに備え、上記受信手段は、上記第２の判定手段が上記第２の方式で上記第２のコンテンツを受信すべきであると判定した場合に限り、上記第２の方式で上記第２のコンテンツを受信することが望ましい。
【００３７】
上記の構成によれば、コンテンツ受信装置は、地上波放送を受信中に、地上波放送の他のチャンネルで配信されるコンテンツであって、インターネット放送でも配信されるコンテンツを、インターネット放送を通じて受信すべき場合に限り、インターネット放送を通じて受信することができるというさらなる効果を奏する。
【００３８】
コンテンツ受信装置は、上記第２の判定手段が、利用者が上記第１の方式および上記第２の方式のうちのいずれの方式で上記第２のコンテンツの受信を希望するかを示す嗜好情報に基づいて、上記第２の方式で上記第２のコンテンツを受信するか否かを判定することが望ましい。
【００３９】
上記の構成によれば、地上波放送を受信中に、地上波放送の他のチャンネルで配信されるコンテンツであって、インターネット放送でも配信されるコンテンツを、嗜好情報がインターネット放送での受信を希望することを示す場合に限り、インターネット放送を通じて受信することができるというさらなる効果を奏する。
【００４０】
なお、コンテンツ受信装置は、上記嗜好情報が記録された記憶部を備えていることが望ましい。
【００４１】
コンテンツ受信装置は、上記第２の判定手段が、利用者により次に選択されるチャンネルの予測を示す予測情報に基づき、上記第２の方式で上記第２のコンテンツを受信するか否かを判定することを特徴とするが望ましい。
【００４２】
上記の構成によれば、コンテンツ受信装置は、利用者により次に選択される可能性の高いチャンネルに応じて、第２の方式で受信すべき場合に限り第２の方式で第２のコンテンツを受信することができるというさらなる効果を奏する。
【００４３】
また、コンテンツ受信装置は、上記予測情報を生成する予測情報生成手段をさらに備えていることが望ましい。
【００４４】
コンテンツ受信装置は、上記第２の判定手段が、上記第２の方式で上記第２のコンテンツを受信すると判定した場合に、上記出力制御手段が、さらに、上記第２の判定手段による、上記第２の方式で上記第２のコンテンツを受信するか否かを示す判定結果を上記出力装置に出力することが望ましい。
【００４５】
コンテンツ受信装置は、上記第２の判定手段が、上記第２の方式で上記第２のコンテンツを受信すると判定した場合に、利用者から上記第２の方式による上記第２のコンテンツの受信を許可するか否かを示す指示を受け付ける指示受付手段をさらに備え、上記受信手段は、上記指示受付手段が許可する指示を受け付けた場合に限り、上記第２の方式で上記第２のコンテンツを受信することが望ましい。
【００４６】
上記の構成によれば、コンテンツ受信装置は、利用者が第２の方式で第２のコンテンツを受信することを許可しなければ、第２の方式で第２のコンテンツを受信しないので、利用者の意に反して第２のコンテンツを第２の方式で受信してしまうことがないというさらなる効果を奏する。
【００４７】
コンテンツ受信装置は、録画予約機能を備えていることが望ましい。
【００４８】
コンテンツ受信装置は、上記第２の判定手段が、録画予約情報に基づいて、上記第２の方式で上記第２のコンテンツを受信するか否かを判定することが望ましい。
【００４９】
上記の構成によれば、コンテンツ受信装置は、利用者の録画予約の状況に応じて、第２の方式で第２のコンテンツを受信すべきか否かを判定することができるというさらなる効果を奏する。
【００５０】
上記出力制御手段は、さらに、上記受信手段がコンテンツを受信する方式およびチャンネルを上記出力装置に出力することを特徴とする請求項４から１５のいずれか１項に記載のコンテンツ受信装置。
【００５１】
上記の構成によれば、コンテンツ受信装置が第２の方式で第２のコンテンツの受信中に第２のコンテンツを第２の方式で受信していることを、出力装置を通じて利用者が確認することができるというさらなる効果を奏する。
【発明の効果】
【００５２】
本発明は、以上のように、第１の方式で送信されたコンテンツを受信する第１の受信部と、第２の方式で送信されたコンテンツを受信する第２の受信部と、を備えたコンテンツ受信装置において、上記第１の方式で第１のチャンネルで送信される第１のコンテンツを受信中に、上記第１の方式で第２のチャンネルで送信される第２のコンテンツを受信する旨の指示を受け付けた場合に、上記第２の方式で上記第２のコンテンツを送信するチャンネルが存在するか否かを判定する第１の判定手段と、上記第２の方式で上記第２のコンテンツを送信するチャンネルが存在すると上記第１の判定手段が判定した場合に、上記第２の方式で当該チャンネルを通じて上記第２のコンテンツを受信する受信手段と、を備えている。
【００５３】
従って、インターネット放送または地上デジタル放送の２つのチャンネルで受信しようとする各コンテンツのうち少なくとも１つが地上波放送チャンネルおよびインターネット放送チャンネルの両チャンネルで放送されるコンテンツである場合、当該地上波放送チャンネルと当該インターネット放送チャンネルとを利用者があらかじめ知らなくても、２つのコンテンツを同時に受信することができるという効果を奏する。
【図面の簡単な説明】
【００５４】
【図１】本発明のコンテンツ受信装置の要部構成を示すブロック図である。
【図２】本発明のコンテンツ受信装置が備える再生・録画部の要部構成を示すブロック図である。
【図３】実施例１を示すものであり、地上波放送再生中に利用者から地上波放送の録画開始の指示を受け付けた場合に本発明のコンテンツ受信装置が行う動作を示すシーケンス図である。
【図４】実施例１を示すものであり、本発明のコンテンツ受信装置が行う受信部変更可否確認処理のフローチャートである。
【図５】受信部変更可否確認処理において用いられるチャンネル対応テーブルについて説明する図である。
【図６】本発明のコンテンツ受信装置が行う受信部変更判定処理のフローチャートである。
【図７】チャンネル対応テーブルを作成するために用いられる番組情報テーブルの一部を示す図である。
【図８】実施例２を示すものであり、地上波放送再生中に予め設定された地上波予約録画の録画開始時刻になった場合に本発明のコンテンツ受信装置が行う動作を示すシーケンス図である。
【図９】実施例２を示すものであり、本発明のコンテンツ受信装置が行う受信部変更可否確認処理のフローチャートである。
【図１０】従来技術を示すものであり、地上波チューナおよびＩＰチューナのいずれに制御があるか、並びに、地上波チューナおよびＩＰチューナの各々で受信中のチャンネルに関する状態遷移図である。
【図１１】従来技術を示すものであり、地上波放送で放送されている２つのコンテンツを同時に受信するための各指示を受け付ける過程でのコンテンツ受信装置の状態の遷移を示す状態遷移図である。
【発明を実施するための形態】
【００５５】
本発明の実施の形態に係るコンテンツ受信装置について詳細に説明する。以下では、最初にコンテンツ受信装置の構成について説明する。次に実施例１において、地上波放送チャンネルで放送されているコンテンツの再生中に、そのチャンネルとは異なる地上波放送チャンネルの手動録画の指示を受け付けた場合のコンテンツ受信装置の動作について説明する。そして実施例２において、地上波放送チャンネルで放送されているコンテンツの再生中に、そのチャンネルとは異なる地上波放送チャンネルの予約録画の録画開始時刻になった場合のコンテンツ受信装置の動作について説明する。
【００５６】
（コンテンツ受信装置１００の要部構成）
本発明に係るコンテンツ受信装置１００について、図１を用いて説明する。
【００５７】
図１は、コンテンツ受信装置１００の要部構成を示すブロック図である。
【００５８】
図１に示すように、コンテンツ受信装置１００は、指示受付部１１０、受信部変更可否確認部１２０、制御部１３０、受信部変更判定部１４０、放送受信部１５０、再生録画部１６０を備えている。
【００５９】
（指示受付部１１０）
指示受付部１１０は、録画（視聴）開始の指示や録画（視聴）予約の設定の指示などを利用者から受け付けて、制御部１３０に供給する。
【００６０】
（受信部変更可否確認部１２０）
受信部変更可否確認部１２０は、地上波放送チャンネル（インターネット放送チャンネル）で放送されているコンテンツの再生中、制御部１３０がそのチャンネルとは異なる地上波放送チャンネル（インターネット放送チャンネル）の手動録画（視聴）の指示を受け付けるか、あるいは、制御部１３０が予め受け付けた、そのチャンネルとは異なる地上波放送チャンネル（インターネット放送チャンネル）の録画（視聴）予約の開始時刻になった場合に、コンテンツを受信するチューナを地上波チューナ（ＩＰチューナ）からＩＰチューナ（地上波チューナ）に変更できるか否かを確認する。
【００６１】
（制御部１３０）
制御部１３０は、利用者からの指示に基づいて、受信部変更可否確認部１２０、受信部変更判定部１４０、放送受信部１５０、再生録画部１６０を制御する。また、制御部１３０は受信部変更処理部１３０ａを備えている。
【００６２】
（受信部変更処理部１３０ａ）
受信部変更処理部１３０ａは、コンテンツを受信するチューナの変更を許可する旨の指示を利用者から受け付けた場合に、受信するチューナを地上波チューナからＩＰチューナ（ＩＰチューナから地上波チューナ）に変更する。
【００６３】
（受信部変更判定部１４０）
受信部変更判定部１４０は、コンテンツを受信するチューナを変更するか否かを判定する。
【００６４】
（放送受信部１５０）
放送受信部１５０は、ＩＰチューナ１５０ａおよび地上波チューナ１５０ｂを備え、各チューナが受信したコンテンツを表わすデータを再生録画部１６０に供給する。
【００６５】
（ＩＰチューナ１５０ａ）
ＩＰチューナ１５０ａは、ネットワークを経由して放送されるインターネット放送のコンテンツを受信する。
【００６６】
（地上波チューナ１５０ｂ）
地上波チューナ１５０ｂは、放送波を通じて送信されるコンテンツを受信する。
【００６７】
（再生録画部１６０）
再生録画部１６０は、放送受信部１５０が受信したコンテンツの録画や再生を行う。
【００６８】
次に、再生録画部１６０の要部構成について、図２を用いて説明する。図２は、再生録画部１６０の要部構成を示すブロック図である。
【００６９】
図２に示すように、再生録画部１６０は、デマルチプレックス部１６０ａ、暗号化・復号化部１６０ｂ、記憶装置入・出力部１６０ｃ、記憶装置１６０ｄ、ビデオデータデコード部１６０ｅ、ビデオデータ出力部１６０ｆ、オーディオデータデコード部１６０ｇ、オーディオデータ出力部１６０ｈを備えている。
【００７０】
（デマルチプレックス部１６０ａ）
デマルチプレックス部１６０ａは、放送受信部１５０が受信したコンテンツを表わすデータに含まれる多重化されたＭＰＥＧ−ＴＳストリームのすべてを、もしくは一部を抽出して記憶装置１６０ｄに記録したり、再生のためにビデオＥＳストリームおよび音声ＥＳストリームに分離したりする。ＭＰＥＧ−ＴＳストリームが暗号化されている場合、デマルチプレックス部１６０ａは、ＭＰＥＧ−ＴＳストリームの記録や分離を行う前に、暗号化されたＭＰＥＧ−ＴＳストリームを暗号化・復号化部１６０ｂに供給し、復号後のＭＰＥＧ−ＴＳストリームを取得する。
【００７１】
（暗号化・復号化部１６０ｂ）
暗号化・復号化部１６０ｂは、デマルチプレックス部１６０ａから供給された、暗号化されたＭＰＥＧ−ＴＳストリームを復号するとともに復号後のＭＰＥＧ−ＴＳストリームをデマルチプレックス部１６０ａに供給する。
【００７２】
（記憶装置入・出力部１６０ｃ）
記憶装置入・出力部１６０ｃは、記憶装置１６０ｄとデマルチプレックス部１６０ａとを接続するインターフェースである。
【００７３】
（記憶装置１６０ｄ）
記憶装置１６０ｄには、放送受信部１５０が受信したコンテンツのデータに含まれるＭＰＥＧ−ＴＳストリームが記録される。また、記憶装置１６０ｄには、後述するチャンネル対応テーブルや番組情報テーブル、視聴履歴も記録される。
【００７４】
（ビデオデータデコード部１６０ｅ）
ビデオデータデコード部１６０ｅは、供給されたビデオＥＳストリームをビデオデータにデコードして、ビデオデータ出力部１６０ｆに供給する。
【００７５】
（ビデオデータ出力部１６０ｆ）
ビデオデータ出力部１６０ｆは、ビデオデータを外部のビデオ表示・オーディオ出力装置２００に供給する。
【００７６】
（オーディオデータデコード部１６０ｇ）
オーディオデータデコード部１６０ｇは、供給された音声ＥＳストリームをオーディオデータにデコードして、オーディオデータ出力部１６０ｈに出力する。
【００７７】
（オーディオデータ出力部１６０ｈ）
オーディオデータ出力部１６０ｈは、オーディオデータを外部のビデオ表示・オーディオ出力装置２００に出力する。
【００７８】
（実施例１）
地上波放送チャンネルで放送されているコンテンツの再生中にそのチャンネルとは異なる地上波放送チャンネルの手動録画の指示を受け付けた場合に、コンテンツ受信装置１００が録画を開始するために行う動作について、図３〜図７を用いて以下に説明する。
【００７９】
図３は、上記動作を示すシーケンス図である。
【００８０】
図３に示すように、Ｓ１において、指示受付部１１０は、利用者から地上波放送チャンネルの手動録画の指示を示す録画開始命令１０２０を受け付けると、録画開始命令１０３０を制御部１３０に供給し、Ｓ２の処理に進む。ここで、録画開始命令１０２０および録画開始命令１０３０には、利用者から指定されたチャンネルを示す情報であるチャンネル情報（チャンネル情報１０４０）、および、地上波チューナを示す受信部情報（受信部情報１０５０）が含まれている。Ｓ２において、制御部１３０は、録画開始命令１０３０からチャンネル情報１０４０および受信部情報１０５０を抽出するとともに、これらを受信部変更可否確認部１２０に供給し、Ｓ３の処理に進む。
【００８１】
Ｓ３において、受信部変更可否確認部１２０は、受信部変更可否確認処理を行い、コンテンツを受信するチューナを地上波チューナ１５０ｂからＩＰチューナ１５０ａに変更できるか否かを判定する。受信部変更可否確認処理の詳細については後述する。変更不可能であると判定された場合、Ｓ１８の処理に進む。Ｓ１８において受信部変更可否確認部１２０は、変更が不可能である旨の通知である変更不可通知１０６１を制御部１３０に供給し、Ｓ１９の処理に進む。Ｓ１９において、制御部１３０は、録画を開始できなかった旨の表示をビデオ表示・オーディオ出力装置２００に表示する処理である録画開始不可表示処理を行い、処理を終了する。
【００８２】
一方、受信部変更可否確認処理の結果、変更可能であると判定された場合、Ｓ４の処理に進む。Ｓ４において、受信部変更可否確認部１２０は、変更先チャンネル情報１０６０を制御部１３０に供給し、Ｓ５の処理に進む。ここで、変更先チャンネル情報１０６０は、手動録画の指示がされた地上波放送チャンネルのコンテンツと同一の番組内容のコンテンツを放送するインターネット放送チャンネルを示す情報を示している。
【００８３】
Ｓ５において、制御部１３０は、地上波チューナを示す受信部情報（受信部情報１０７０）を受信部変更判定部１４０に供給して、Ｓ６の処理に進む。Ｓ６において、受信部変更判定部１４０は、コンテンツを受信するチューナを地上波チューナ１５０ｂからＩＰチューナ１５０ａに変更するか否かを判定する受信部変更判定処理を行い、Ｓ７の処理に進む。受信部変更判定処理の詳細については後述する。Ｓ７において、受信部変更判定部１４０は、判定の結果を示す受信部変更判定処理結果通知１０８０を制御部１３０に供給する。ここで、受信部変更判定処理結果通知１０８０には、変更すべきと判定された場合に通知される受信部変更提案通知と変更すべきでないと判定された場合に通知される受信部変更不要通知との２種類がある。
【００８４】
受信部変更判定処理結果通知１０８０が受信部変更不要通知である場合、Ｓ１７の処理に進む。Ｓ１７において、制御部１３０は、録画を開始できなかった旨の表示をビデオ表示・オーディオ出力装置２００に表示する処理である録画開始不可表示処理を行い、処理を終了する。一方、受信部変更判定処理結果通知１０８０が受信部変更提案通知である場合、Ｓ８の処理に進む。Ｓ８において、制御部１３０は、変更有無選択画面表示処理を行い、受信部変更を許可するか否かを示す指示を指示受付部１１０が利用者から受け付けるまで待機する。ここで、変更有無選択画面表示処理とは、コンテンツを受信するチューナの変更を許可するか否かを利用者に選択させるため選択画面をビデオ表示・オーディオ出力装置２００に表示する処理である。
【００８５】
Ｓ９において、指示受付部１１０が利用者から受信部変更を許可するか否かの指示を受け付けると、Ｓ１０において、指示受付部１１０は、当該指示の内容を示す受信部変更可否通知１０９０を制御部１３０に供給する。
【００８６】
受信部変更可否通知１０９０が受信部変更の不許可を示す場合、Ｓ１７の処理に進む。Ｓ１７において、制御部１３０は、録画を開始できなかった旨の表示をビデオ表示・オーディオ出力装置２００に表示する処理である録画開始不可表示処理を行い、処理を終了する。一方、受信部変更可否通知１０９０が受信部変更の許可を示す場合、Ｓ１１の処理に進む。Ｓ１１において、制御部１３０の受信部変更処理部１３０ａは、手動録画するコンテンツを受信するチューナを地上波チューナ１５０ｂからＩＰチューナ１５０ａに変更するための制御を行い、Ｓ１２の処理に進む。
【００８７】
Ｓ１２において、受信部変更処理部１３０ａは、ＩＰチューナ１５０ａがコンテンツを受信するインターネット放送チャンネルを、制御部１３０がＳ４において取得した変更先チャンネル情報１０６０が示すチャンネルに設定し、Ｓ１３の処理に進む。
【００８８】
Ｓ１３において、制御部１３０は、録画を開始させるための指示である録画実行指示１１００を再生録画部１６０に通知し、Ｓ１５の処理に進む。Ｓ１５において再生録画部１６０は、録画開始処理を行いＳ１４の処理に進む。Ｓ１５において再生録画部１６０は、録画を開始したことを知らせる録画開始通知１２００を制御部１３０に通知し、Ｓ１６の処理に進む。
【００８９】
Ｓ１６において、制御部１３０は、録画を開始した旨の表示をビデオ表示・オーディオ出力装置２００に表示する処理である録画開始表示処理を行い、処理を終了する。
【００９０】
（受信部変更可否確認処理）
受信部変更可否処理は、受信部情報１０５０が表わすチューナを通じて、制御部１３０から受信したチャンネル情報１０４０が表わすチャンネルで受信可能なコンテンツと同一内容のコンテンツを受信部情報１０５０が表わすチューナとは異なるもう一方のチューナで受信可能か否か、すなわち、同一内容のコンテンツを受信するために使用するチューナを変更することが可能かどうかを確認する処理である。
【００９１】
受信部変更可否確認処理の詳細について、図４および図５を用いて以下に説明する。
【００９２】
図４は受信部変更可否確認処理の流れを示すフローチャートであり、図５はチャンネル対応テーブルを示す図である。
【００９３】
Ｓ２１において、受信部変更可否確認部１２０は、記憶装置１６０ｄに記録されているチャンネル対応テーブルを参照し、Ｓ２２において、受信部変更可否確認部１２０は、制御部１３０から受け取ったチャンネル情報１０４０および地上波チューナを示す受信部情報１０５０に基づいて、チャンネル対応テーブルの地上波チューナの欄に、チャンネル情報１０４０が含まれているか否かを判定する。
【００９４】
ここで、チャンネル対応テーブルとは、図５に示すように、同一の番組内容を示すコンテンツが放送されている地上波放送チャンネルおよびインターネット放送チャンネルのチャンネル情報が関連づけて記録されているテーブルである。また、そのようなコンテンツが複数存在する場合には、それぞれのコンテンツについて当該コンテンツを放送する地上波放送チャンネルおよびインターネット放送チャンネルのチャンネル情報が関連づけて記録される。例えば、図５では、あるコンテンツが地上波放送チャンネルＴ１とインターネット放送チャンネルＩ２で放送されており、別のコンテンツが地上波放送チャンネルＴ４とインターネット放送チャンネルＩ１で放送されていることを示している。
【００９５】
チャンネル情報１０４０がチャンネル対応テーブルの受信部情報１０５０が示す地上波チューナの欄に含まれている場合（Ｓ２２においてＹＥＳ）、Ｓ２３において、受信部変更可否確認部１２０は、チャンネル対応テーブルのチャンネル情報１０４０に関連づけられたインターネット放送チャンネル情報を示す変更先チャンネル情報１０６０を生成する。
【００９６】
一方、チャンネル情報１０４０がチャンネル対応テーブルの受信部情報１０５０が示す地上波チューナの欄に含まれていない場合（Ｓ２２においてＮＯ）、Ｓ２４において、受信部変更可否確認部１２０は、受信部変更不可通知１０６１を生成する。
【００９７】
（チャンネル対応テーブルの作成方法）
次に、チャンネル対応テーブルを作成する方法について、図７を用いて説明する。図７は、チャンネル対応テーブルを作成するために用いられる番組情報テーブルの一部を示す図である。
【００９８】
まず、チャンネル対応テーブルの作成方法について説明する前に、番組情報テーブルの作成について説明する。
【００９９】
制御部１３０は、ＩＰチューナ１５０ａが受信したＳＩ（番組配列情報）に基づき、インターネット放送の番組情報テーブルを作成する。また、同様に、制御部１３０は、地上波チューナ１５０ｂが受信したＳＩに基づき、地上波放送の番組情報テーブルを作成する。ＳＩは、ＡＲＩＢ標準規格ＳＴＤ−Ｂ１０に開示されているように、番組に関する様々な制御・属性情報が含まれ、これらは規格化されて運用されている。そして、それらの制御・属性情報のひとつにＥＩＴ（イベント情報テーブル）があり、ＥＩＴには各チャンネルの番組タイトル、放送時間、内容の説明が記述されている。番組情報テーブルにはこれらの各チャンネルの番組タイトル、放送時間、内容の説明などが記録される。
【０１００】
なお、ＩＰチューナ１５０ａおよび地上波チューナ１５０ｂは、定期的にＳＩ（番組配列情報）を受信するように制御部１３０によって制御されており、インターネット放送および地上波放送の番組情報テーブルは、受信したＳＩに基づいて定期的に更新される。
【０１０１】
以上のように、インターネット放送と地上波放送とに関して、それぞれ番組情報テーブルが作成されるが、制御部１３０は、これらの２つの番組情報テーブルに基づいてチャンネル対応テーブルを作成する。制御部１３０は２つの番組情報テーブルの内容を比較し、番組タイトル、放送時間、および内容の説明が同一の番組がないかを確認する。
【０１０２】
制御部１３０は、番組タイトル、放送時間、および内容の説明が同一の番組を確認した場合には、それらを同一の番組とみなして、インターネット放送および地上波放送のチャンネルを関連づけてチャンネル対応テーブルに記録する。
【０１０３】
（受信部変更判定処理）
次に、受信部変更判定処理の詳細について、図６を用いて以下に説明する。
【０１０４】
図６は、コンテンツの録画に使用をするチューナを、受信部情報１０５０が示すチューナからもう一方のチューナに変更するか否かを受信部変更判定部１４０が判定する受信部変更判定処理の流れを示すフローチャートである。
【０１０５】
Ｓ３１において、受信部変更判定部１４０は、優先録画設定が設定されているか否かを確認する。ここで、優先録画設定とは、利用者がインターネット放送と地上波放送とのうち、いずれの放送によるコンテンツの受信を希望するかを示す第１の嗜好情報を設定するものであり、ＩＰチューナおよび地上波チューナのいずれかが利用者により設定される。優先録画設定がある場合（Ｓ３１においてＹＥＳ）、Ｓ３２において、受信部変更判定部１４０は、受信部情報１０５０が示すチューナと優先録画設定で設定されているチューナとが一致するか否かを判定する。一致する場合（Ｓ３２においてＹＥＳ）、Ｓ３５において、受信部変更判定部１４０は、受信部変更判定処理結果通知１０８０として受信部変更不要通知を設定する。一方、一致しない場合（Ｓ３２においてＮＯ）、Ｓ３４において、受信部変更判定部１４０は、受信部変更判定処理結果通知１０８０として受信部変更提案通知を設定する。
【０１０６】
一方、優先録画設定がない場合（Ｓ３２においてＮＯ）、Ｓ３３において、受信部変更判定部１４０は、受信部情報１０５０が示すチューナとＩＰチューナおよび地上波チューナのうち利用者が次に番組を視聴するのに利用する可能性が高いチューナとが一致するか否かを判定する。一致する場合（Ｓ３３においてＹＥＳ）、Ｓ３５の処理に進み、一致しない場合（Ｓ３３においてＮＯ）、Ｓ３４の処理に進む。Ｓ３４およびＳ３５の処理については前述したので、説明を省略する。
【０１０７】
なお、Ｓ３３において、利用者が次に番組を視聴するのに利用する可能性が高いチューナがいずれのチューナであるかは、具体的には、例えば、特開２００３−１４３５８７に開示されているように、記憶装置１６０ｄに記録されている電子番組表と記憶装置１６０ｄに各番組の視聴回数および番組が属する各ジャンルの視聴回数が記録されている視聴履歴とに基づいて（予測情報に基づいて）決定されてもよい。
【０１０８】
具体的には、受信部変更判定部１４０は、利用者が視聴している番組から他の番組までの電子番組表上での空間的距離αを算出する。ここで、例えば、利用者が視聴している番組のチャンネル番号と他の番組のチャンネル番号との差が大きくなるほど空間的距離αは大きくなり、利用者が視聴している番組の受信方式と上記他の番組の受信方式とが異なれば、空間的距離αは大きくなり、現在時刻から上記他の番組の放送開始時刻までの時間が長ければ長いほど空間的距離αは大きくなる。また、視聴履歴を参照して、利用者の過去のアクセス履歴から好みのジャンルと言った第２の嗜好情報に関する距離（嗜好的距離β）を算出する。例えば、各番組が属するジャンルとして、Ａ，Ｂ，Ｃが有るとし、過去のそれぞれのジャンルに対するアクセス履歴がａ，ｂ，ｃ回であったとした場合、１／ａ，１／ｂ，１／ｃをそれぞれのジャンルに対する距離βとする。そして、受信部変更判定部１４０は、上記他の番組の各々について、空間的距離αと嗜好的距離βとの和を算出し、和が最も小さい上記他の番組の放送が地上波放送で行われている場合には、利用者が次に番組を視聴するのに利用する可能性が高いチューナは地上波チューナと、インターネット放送で行われている場合にはＩＰチューナと決定する。なお、制御部１３０は、定期的に、または変更先チャンネル情報１０６０を受け付けたときに、放送受信部１５０を介して電子番組表を取得して記憶装置１６０ｄに記録してもよい。また、制御部１３０は、再生録画部１６０により所定の時間番組の再生を行われたことを検知したときに、当該番組の視聴回数および当該番組が属するジャンルの視聴回数を更新してもよい。
【０１０９】
（実施例２）
次に、地上波放送チャンネルの予約録画の指示を受け付けていた場合であって当該予約録画により設定された録画時刻になったときにコンテンツ受信装置１００が予約録画を開始するために行う動作について、図８および図９を用いて以下に説明する。
【０１１０】
図８は、上記動作を示すシーケンス図である。
【０１１１】
設定された録画時刻になると、Ｓ４１において、制御部１３０は、予約録画開始前表示処理を行い、Ｓ４２の処理に進む。ここで、予約録画開始前表示処理とは、利用者に予約録画を開始する旨を知らせるために、制御部１３０がその旨を示すメッセージをビデオ表示・オーディオ出力装置２００に表示する処理のことである。
【０１１２】
Ｓ４２において、制御部１３０は、地上波チャンネル情報１０４０および受信部情報１０５０を受信部変更可否確認部１２０に供給し、Ｓ４３の処理に進む。
【０１１３】
なお、Ｓ４３〜Ｓ５７の処理は、Ｓ４６における受信部変更判定処理が実施例１のＳ６における受信部変更判定処理と異なる点を除き、実施例１のＳ３〜Ｓ１７の処理と同様であるので、説明を省略する。
【０１１４】
Ｓ４７において、制御部１３０が、受信部変更判定処理結果通知１０８０として受信部変更不要通知を受けた場合、Ｓ５８の処理に進む。Ｓ５８において、制御部１３０は、再生録画部１６０に録画実行指示１１００を供給し、Ｓ５９の処理に進む。Ｓ６０において再生録画部１６０は、録画を開始したことを知らせる録画開始通知１２００を制御部１３０に通知し、Ｓ６１の処理に進む。そして、Ｓ６１において、制御部１３０は、録画を開始した旨の表示をビデオ表示・オーディオ出力装置２００に表示する処理である録画開始表示処理を行い、処理を終了する。
【０１１５】
従って、コンテンツ受信装置１００は、受信部変更判定処理において受信部の変更が不要であると判定された場合、受信部変更処理を行わずに、予約録画で指定されたチューナ（受信部情報１０５０が表わすチューナ）を用いて予約録画を行うことになる。
【０１１６】
（受信部変更判定処理）
受信変更判定処理は、受信部変更判定部１４０が、予約録画に使用されるチューナを録画または再生のために再生録画部１６０が現在使用しているか否かを確認し、使用している場合に限り、予約録画に使用されるチューナを変更すると判定する処理である。例えば、地上波放送による予約録画の録画開始時に、地上波放送をすでに再生している場合、録画予約情報に含まれている録画予約中のチャンネルを通じて配信されるコンテンツと同じ内容のコンテンツをインターネット放送のチャンネルを通じて受信するために、予約録画に使用をするチューナを地上波チューナからＩＰチューナに変更すると判定する。
【０１１７】
受信部変更判定処理の詳細について、図９を用いて以下に説明する。
【０１１８】
図９は、コンテンツの録画に使用をするチューナを受信部情報１０５０が示すチューナからもう一方のチューナに変更するか否かを受信部変更判定部１４０が判定する受信部変更判定処理の流れを示すフローチャートである。
【０１１９】
Ｓ７１において、受信部変更判定部１４０は、制御部１３０から受信した受信部情報１０５０が示すチューナを再生録画部１６０が現在録画または再生のために使用しているか否かをチェックする。使用している場合（Ｓ７１においてＹＥＳ）、Ｓ７２において、受信部変更判定部１４０は、受信部変更判定処理結果通知１０８０として受信部変更提案通知を設定する。一方、使用していない場合（Ｓ７１においてＮＯ）、Ｓ７３において、受信部変更判定部１４０は、受信部変更判定処理結果通知１０８０として受信部変更不要通知を設定する。
【０１２０】
（コンテンツ受信装置１００の利点）
本発明に係るコンテンツ受信装置１００は、以上のように、地上波チューナで番組を受信中に、地上波チューナにより手動録画または録画予約で設定した他の番組を、その他の番組がインターネット放送でも放送されている場合に利用者がそのチャンネルを知らなくてもＩＰチューナで録画することができる。
【０１２１】
また、コンテンツ受信装置１００は、地上波チューナによる手動録画または録画予約の設定をした他の番組を、その他の番組がインターネット放送でも放送されている場合であって優先録画設定が地上波チューナに設定されている場合には、ＩＰチューナによる録画の許可を利用者から受け付けてからＩＰチューナでの録画を行うので、利用者が地上波放送で録画しようと思っていた番組が、知らずにインターネット放送で録画されることがないというさらなる効果を奏する。
【０１２２】
（付記事項）
本実施形態では、コンテンツ受信装置１００の放送受信部１５０をＩＰチューナ１５０ａと地上波チューナ１５０ｂとにより構成したが、本発明はこの組み合わせに限定されるものではない。例えば、放送受信部１５０は、地上波チューナ１５０ｂの代わりに、ＣＳチューナやＢＳチューナにより構成されてもよいことは言うまでもない。
【０１２３】
また、本実施形態では、優先録画設定がされる場合、録画モードに関わらず一律して「地上波チューナ」または「ＩＰチューナ」が設定され、再生録画部１６０は、録画モードに関わらず優先録画設定で設定されたチューナを利用して番組を録画するものとしているが、録画モード毎に優先録画設定が可能になっていてもよい。この場合、例えば、録画モードがダイレクトレコーディング（ＤＲ）モードの場合の優先録画設定が「地上波チューナ」であり、録画モードが他のモード（ＨＲモード、ＳＲモード、ＬＲモード等）の場合の優先録画設定が「ＩＰチューナ」である場合、再生録画部１６０は、録画モードがＤＲモードを設定されている場合は地上波放送で番組を録画し、録画モードがトランスコードによって画質が劣化する他のモード（ＨＲモード、ＳＲモード、ＬＲモード等）に設定されている場合はインターネット放送で番組を録画する。これにより、コンテンツ受信装置１００は、低画質で番組を録画するために、高画質で録画することが可能な地上波チューナを占有しなくてもよいというさらなる効果を奏する。
【０１２４】
また、実施例１において、地上波放送チャンネルで放送されているコンテンツの再生中にそのチャンネルとは異なる地上波放送チャンネルの手動録画の指示を受け付けた場合にコンテンツ受信装置１００が録画を開始するために行う動作について説明し、受信部変更可否確認処理の変更不可通知１０６１を受け付けたとき、受信部変更判定処理結果通知１０８０として受信部変更不要通知を受け付けたとき、または、受信部変更不許可を示す受信部変更可否通知１０９０を受け付けたときは、録画開始不可表示処理を行うことを説明した。ただし、上記各通知を受け付けたときに、録画開始不可表示処理を行わずに再生中のコンテンツの再生を中止し、再生を中止した旨を示すメッセージをビデオ表示・オーディオ出力装置２００に表示する視聴停止表示処理を行うとともに、手動録画の指示を受け付けた地上波放送チャンネルの録画を開始してもよい。また、手動録画の指示を受け付けたときに地上波放送でもインターネット放送でもコンテンツの録画や再生をしていない場合には、制御部１３０は、録画開始不可表示処理を行わず、録画実行指示１１００を再生録画部１６０に通知することにより、再生録画部１６０に地上波チャンネル情報１０４０が表わす地上波チャンネルの録画を開始させてもよい。
【０１２５】
また、実施例２において、地上波放送チャンネルで放送されているコンテンツの再生中に、そのチャンネルとは異なる地上波放送チャンネルの予約録画の指示を受け付けていた場合に当該予約録画により設定された録画時刻になったときにコンテンツ受信装置１００が予約録画を開始するために行う動作について説明した。実施例２においても、同様に、録画時刻において地上波放送でもインターネット放送でもコンテンツの録画や再生をしていない場合には、受信部変更可否確認処理の変更不可通知１０６１を受け付けたとき、受信部変更判定処理結果通知１０８０として受信部変更不要通知を受け付けたとき、または、受信部変更不許可を示す受信部変更可否通知１０９０を受け付けたときは、制御部１３０は、録画実行指示１１００を再生録画部１６０に通知することにより、再生録画部１６０に地上波チャンネル情報１０４０が表わす地上波チャンネルの録画を開始させてもよい。
【０１２６】
また、各実施例において、受信部変更可否確認部１２０は、受信部変更可否確認処理時に、番組情報テーブルに基づいて定期的に更新されるチャンネル対応テーブルを参照して、手動録画（予約録画）に使用するチューナを地上波チューナからＩＰチューナに変更できるか否かを判定すると説明したが、チャンネル対応テーブルを参照せずに受信部変更可否確認処理を行うことも可能である。すなわち、受信部変更可否確認処理部１２０は、受信部変更可否確認処理時に、地上波放送のチャンネル情報１０４０が示すチャンネルを通じてＥＩＴを受信するとともにインターネット放送の各チャンネルを通じてＥＩＴを受信し、インターネット放送の各チャンネルを通じて受信したＥＩＴの中にチャンネル情報１０４０が示すチャンネルで放送されている番組の番組名および番組開始時刻が含まれているか否かを確認し、含まれている場合に限り手動録画（予約録画）に使用するチューナを地上波チューナからＩＰチューナに変更できると判定してもよい。
【０１２７】
（プログラム等）
最後に、コンテンツ受信装置１００の各ブロックは、ハードウェアロジックによって構成してもよいし、次のようにＣＰＵを用いてソフトウェアによって実現してもよい。
【０１２８】
すなわち、コンテンツ受信装置１００は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるコンテンツ受信装置１００の制御プログラムのプログラムコード（実行形式プログラム、中間コードプログラム、ソースプログラム）をコンピュータで読み取り可能に記録した記録媒体を、上記コンテンツ受信装置１００に供給し、そのコンピュータ（またはＣＰＵやＭＰＵ）が記録媒体に記録されているプログラムコードを読み出し実行することによっても、達成可能である。
【０１２９】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１３０】
また、コンテンツ受信装置１００を通信ネットワークと接続可能に構成し、通信ネットワークを介して上記プログラムコードを供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１３１】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１３２】
本発明のコンテンツ受信装置は、地上波放送を受信可能であって、好ましくは録画予約機能を備えたＩＰテレビやＩＰセットトップボックスなどに、好適に利用することができる。
【符号の説明】
【０１３３】
１００    コンテンツ受信装置
１１０    指示受付部（指示受付手段）
１２０    受信部変更可否確認部（第１の判定手段）
１３０    制御部（出力制御手段、予測情報生成手段）
１３０ａ  受信部変更処理部
１４０    受信部変更判定部（第２の判定手段）
１５０    放送受信部（受信手段）
１５０ａ  ＩＰチューナ
１５０ｂ  地上波チューナ
１６０    再生録画部（記録手段）
１６０ａ  デマルチプレックス部
１６０ｂ  暗号化・復号化部
１６０ｃ  記憶装置入出力部
１６０ｄ  記憶装置（記憶部）
１６０ｅ  ビデオデータデコード部
１６０ｆ  ビデオデータ出力部
１６０ｇ  オーディオデータデコード部
１６０ｈ  オーディオデータ出力部
２００    ビデオ表示・オーディオ出力装置
【図１】
2010177888.tif 000003
【図２】
2010177888.tif 000004
【図３】
2010177888.tif 000005
【図４】
2010177888.tif 000006
【図５】
2010177888.tif 000007
【図６】
2010177888.tif 000008
【図７】
2010177888.tif 000009
【図８】
2010177888.tif 000010
【図９】
2010177888.tif 000011
【図１０】
2010177888.tif 000012
【図１１】
2010177888.tif 000013